(57)【特許請求の範囲】
【請求項１】
建物外周の鉄筋コンクリート基礎の立上がり部の天端から所定の深さで且つ所定の幅の基礎開口部が設けられ、前記基礎開口部の上部で且つ該基礎開口部の両側の前記鉄筋コンクリート基礎の立上がり部の天端に亘って天端板を載置すると共に、該天端板に外壁受金具を取り付けたことを特徴とする建物の基礎構造。
【請求項２】
前記鉄筋コンクリート基礎に対する前記天端板の取り付けは、前記鉄筋コンクリート基礎の立上がり部の天端に起立されたアンカーボルトに前記天端板に設けられたボルト孔が挿通され、該アンカーボルトに螺合締結されるナットを介して前記天端板を前記鉄筋コンクリート基礎に対して固定したことを特徴とする請求項１に記載の建物の基礎構造。
【請求項３】
前記鉄筋コンクリート基礎に対する前記天端板の取り付けは、該天端板に取り付けられた前記外壁受金具を前記鉄筋コンクリート基礎の立上がり部の天端に起立されたアンカーボルトにナットを介して締結したことを特徴とする請求項１に記載の建物の基礎構造。
【請求項４】
前記天端板に対する前記外壁受金具の取り付けは、前記鉄筋コンクリート基礎の立上がり部に設けられた基礎開口部に対応する位置で前記天端板に設けられたボルト孔にボルト部材が挿通され、該ボルト部材に螺合締結されるナットを介して前記外壁受金具を前記天端板に対して固定したことを特徴とする請求項１または請求項２に記載の建物の基礎構造。
【請求項５】
前記天端板に対する前記外壁受金具の取り付けは、該天端板の外壁側を断面Ｌ字型に折り曲げて起立片とし、該起立片に前記外壁受金具の起立片を背中合わせにしてボルトナット締めすることを特徴とする請求項１または請求項３に記載の建物の基礎構造。
【請求項６】
前記鉄筋コンクリート基礎の立上がり部に設けられた基礎開口部が該鉄筋コンクリート基礎の立上がり部の外側から該立上がり部の真上の壁体内へ配管される配管スペースとして構成される場合には、前記天端板に、前記壁体内へ配管される配管が挿通される天端開口部が設けられたことを特徴とする請求項１に記載の建物の基礎構造。
【請求項７】
請求項１に記載の建物の基礎構造の前記鉄筋コンクリート基礎の立上がり部に設けられた基礎開口部から建物内に複数の給水給湯配管を行う給水給湯ヘッダ管の設置構造において、
建物内に複数の給水給湯配管を行う給水給湯ヘッダ管を、前記鉄筋コンクリート基礎の立上がり部に設けられた基礎開口部の外側で且つ該基礎開口部の底面よりも低い位置に配置すると共に、該給水給湯ヘッダ管の軸方向を前記鉄筋コンクリート基礎の立上がり部の外面に平行に配置したことを特徴とする給水給湯ヘッダ管の設置構造。
【発明の詳細な説明】
【技術分野】
【０００１】
本発明は、建物の基礎構造及びこれを用いた給水給湯ヘッダ管の設置構造に関するものである。
【背景技術】
【０００２】
従来、住宅の間取りによっては、鉄筋コンクリート基礎の立上がり部に設けられる換気口が自由に設置出来ず、換気口位置の移動等の設計変更を余儀なくされる場合がある。また、そのような換気口部に住宅内に複数の給水給湯配管を行う給水給湯ヘッダ管を自由に設置したいといった要望があった。また、換気口部に設置した給水給湯ヘッダ管から分岐した配管を床下に設置したい場合や、鉄筋コンクリート基礎の立上がり部の真上の壁体内に配管を立ち上げたいといった種々の要望がある。
【０００３】
例えば、特開２００１−１５９１６７号公報（特許文献１）には、床下側から基礎の天端角部を切り欠いた切欠部を介して外壁に設けた配管スペース内に給水・給湯配管を立ち上げ、屋外給湯器に接続した構成が記載されている。
【０００４】
【特許文献１】特開２００１−１５９１６７号公報
【発明の開示】
【発明が解決しようとする課題】
【０００５】
しかしながら、前述の特許文献１の技術では、鉄筋コンクリート基礎の立上がり部に設けられる換気口を自由に設置出来るものではなく、該換気口の上にアンカーボルトを自由に設置出来るものではなかった。
【０００６】
本発明は前記課題を解決するものであり、その目的とするところは、鉄筋コンクリート基礎の立上がり部に設けられる換気口を自由に設置出来、該換気口の上にアンカーボルトを自由に設置することも出来る建物の基礎構造及びこれを利用した給水給湯ヘッダ管の設置構造を提供せんとするものである。
【課題を解決するための手段】
【０００７】
前記目的を達成するための本発明に係る建物の基礎構造の第１の構成は、建物外周の鉄筋コンクリート基礎の立上がり部の天端から所定の深さで且つ所定の幅の基礎開口部が設けられ、前記基礎開口部の上部で且つ該基礎開口部の両側の前記鉄筋コンクリート基礎の立上がり部の天端に亘って天端板を載置すると共に、該天端板に外壁受金具を取り付けたことを特徴とする。
【０００８】
また、本発明に係る建物の基礎構造の第２の構成は、前記第１の構成において、前記鉄筋コンクリート基礎に対する前記天端板の取り付けは、前記鉄筋コンクリート基礎の立上がり部の天端に起立されたアンカーボルトに前記天端板に設けられたボルト孔が挿通され、該アンカーボルトに螺合締結されるナットを介して前記天端板を前記鉄筋コンクリート基礎に対して固定したことを特徴とする。
【０００９】
また、本発明に係る建物の基礎構造の第３の構成は、前記第１の構成において、前記鉄筋コンクリート基礎に対する前記天端板の取り付けは、該天端板に取り付けられた前記外壁受金具を前記鉄筋コンクリート基礎の立上がり部の天端に起立されたアンカーボルトにナットを介して締結したことを特徴とする。
【００１０】
また、本発明に係る建物の基礎構造の第４の構成は、前記第１、第２の構成において、前記天端板に対する前記外壁受金具の取り付けは、前記鉄筋コンクリート基礎の立上がり部に設けられた基礎開口部に対応する位置で前記天端板に設けられたボルト孔にボルト部材が挿通され、該ボルト部材に螺合締結されるナットを介して前記外壁受金具を前記天端板に対して固定したことを特徴とする。
【００１１】
また、本発明に係る建物の基礎構造の第５の構成は、前記第１、第３の構成において、前記天端板に対する前記外壁受金具の取り付けは、該天端板の外壁側を断面Ｌ字型に折り曲げて起立片とし、該起立片に前記外壁受金具の起立片を背中合わせにしてボルトナット締めすることを特徴とする。
【００１２】
また、本発明に係る建物の基礎構造の第６の構成は、前記第１の構成において、前記鉄筋コンクリート基礎の立上がり部に設けられた基礎開口部が該鉄筋コンクリート基礎の立上がり部の外側から該立上がり部の真上の壁体内へ配管される配管スペースとして構成される場合には、前記天端板に、前記壁体内へ配管される配管が挿通される天端開口部が設けられたことを特徴とする。
【００１３】
また、本発明に係る給水給湯ヘッダ管の設置構造は、前記建物の基礎構造の第１の構成の前記鉄筋コンクリート基礎の立上がり部に設けられた基礎開口部から建物内に複数の給水給湯配管を行う給水給湯ヘッダ管の設置構造において、建物内に複数の給水給湯配管を行う給水給湯ヘッダ管を、前記鉄筋コンクリート基礎の立上がり部に設けられた基礎開口部の外側で且つ該基礎開口部の底面よりも低い位置に配置すると共に、該給水給湯ヘッダ管の軸方向を前記鉄筋コンクリート基礎の立上がり部の外面に平行に配置したことを特徴とする。
【発明の効果】
【００１４】
本発明に係る建物の基礎構造の第１の構成によれば、鉄筋コンクリート基礎の立上がり部に設けた基礎開口部を換気口として構成することにより換気口の位置を自由に設定することが出来、該基礎開口部の上部で且つ該基礎開口部の両側の前記鉄筋コンクリート基礎の立上がり部の天端に亘って天端板を載置し、該天端板に外壁受金具を取り付けることで外壁の下部を受けて支持することが出来る。
【００１５】
また、本発明に係る建物の基礎構造の第２の構成によれば、鉄筋コンクリート基礎の立上がり部の天端に起立されたアンカーボルトに天端板に設けられたボルト孔が挿通され、該アンカーボルトに螺合締結されるナットを介して該天端板を鉄筋コンクリート基礎に対して固定することが出来る。
【００１６】
また、本発明に係る建物の基礎構造の第３の構成によれば、天端板に取り付けられた外壁受金具を鉄筋コンクリート基礎の立上がり部の天端に起立されたアンカーボルトにナットを介して締結固定することが出来る。
【００１７】
また、本発明に係る建物の基礎構造の第４の構成によれば、天端板に設けられたボルト孔を利用して外壁受金具を固定するためのボルト部材を挿通し、該ボルト部材に螺合締結されるナットを介して天端板に外壁受金具を固定することが出来る。
【００１８】
また、本発明に係る建物の基礎構造の第５の構成によれば、天端板の外壁側を断面Ｌ字型に折り曲げた起立片に外壁受金具の起立片を背中合わせにしてボルトナット締めすることで天端板と外壁受金具とを固定することが出来る。
【００１９】
また、本発明に係る建物の基礎構造の第６の構成によれば、鉄筋コンクリート基礎の立上がり部に設けられた基礎開口部が該鉄筋コンクリート基礎の立上がり部の外側から該立上がり部の真上の壁体内へ配管される配管スペースとして構成される場合には、天端板に設けられたボルト孔を利用して基礎の外周に設置した給水給湯ヘッダ管から分岐する複数の給水給湯配管を挿通させて壁体内へ配管することが出来る。
【００２０】
また、本発明に係る給水給湯ヘッダ管の設置構造によれば、建物内に複数の給水給湯配管を行う給水給湯ヘッダ管を、鉄筋コンクリート基礎の立上がり部に設けられた基礎開口部の外側で且つ該基礎開口部の底面よりも低い位置に配置すると共に、該給水給湯ヘッダ管の軸方向を鉄筋コンクリート基礎の立上がり部の外面に平行に配置し、該鉄筋コンクリート基礎の立上がり部に設けられた基礎開口部を介して該給水給湯ヘッダ管から分岐する複数の給水給湯配管を挿通して壁体内や床下へ容易に配管することが出来る。
【発明を実施するための最良の形態】
【００２１】
図により本発明に係る建物の基礎構造及びそれを利用した給水給湯ヘッダ管および給水給湯配管の設置構造の一実施形態を具体的に説明する。図１は本発明に係る建物の基礎構造を利用した給水給湯ヘッダ管の設置構造を示す三面図、図２は鉄筋コンクリート基礎の立上がり部に設けられる基礎開口部の上部で且つ該基礎開口部の両側の鉄筋コンクリート基礎の立上がり部の天端に亘って取り付けられる天端板の一例を示す三面図、図３は本発明に係る建物の基礎構造の他の構成を示す三面図、図４は鉄筋コンクリート基礎の立上がり部に設けられた基礎開口部の上部に取り付けられた天端板に外壁受金具を取り付ける様子を説明する分解斜視図である。
【００２２】
図１〜図４において、１は建物外周の鉄筋コンクリート基礎の立上がり部であり、該立上がり部１の天端１ａから所定の深さ（図１（ａ），（ｃ）及び図３（ａ），（ｃ）の上下方向の寸法）で且つ所定の幅（図１（ａ），（ｂ）及び図３（ｂ），（ｃ）の左右方向の寸法）の基礎開口部２が設けられ、該基礎開口部２の上部で且つ該基礎開口部２の両側の鉄筋コンクリート基礎の立上がり部１の天端１ａに亘って、図２に示す補強リブ３ｄを設けた天端板３や図３及び図４に示す補強リブ３ｄを有さない平板からなる天端板３が載置され、該天端板３には、図３に示す外壁４の下部を受けて支持する外壁受金具５が取り付けられている。
【００２３】
鉄筋コンクリート基礎の立上がり部１に対する天端板３の取り付けは、図３及び図４に示すように、該鉄筋コンクリート基礎の立上がり部１の天端１ａに起立されたアンカーボルト６に天端板３に設けられたボルト孔となる長穴３ａが挿通され、該アンカーボルト６に螺合締結されるナット７を介して天端板３が鉄筋コンクリート基礎の立上がり部１に対して固定される。
【００２４】
図２に示す天端板３は、その両端部に補強用リブ３ｄが設けられ、図１に示す第１実施形態では、鉄筋コンクリート基礎の立上がり部の天端に該リブ３ｄが嵌入し得る溝部１ｃと該天端板３の板厚に対応して低く形成された段部１ｄが形成されている。また、図３に示す第２実施形態では、鉄筋コンクリート基礎の立上がり部１の天端１ａが天端板３の板厚に対応して低く形成された段部１ｄが形成されている。
【００２５】
一方、天端板３に対する外壁受金具５の取り付けは、図３及び図４に示すように、鉄筋コンクリート基礎の立上がり部１に設けられた基礎開口部２に対応する位置で天端板３に設けられたボルト孔となる貫通孔３ｂにボルト部材８が挿通され、該ボルト部材８に螺合締結されるナット７を介して外壁受金具５を天端板３に対して固定したものである。このように、基礎開口部２に対応する位置で天端板３に設けられたボルト部材８を擬似アンカーボルトとして外壁受金具５を取り付けることが出来、基礎開口部２が換気口とされる場合であっても該換気口の上に擬似アンカーボルトを自由に設置出来るものである。
【００２６】
尚、外壁受金具５を天端板３に対して固定する場合は、外壁受金具５と天端板３とを直接固定することでも良いし、図４に示すように固定金具９を介在させて固定しても良い。
【００２７】
本実施形態では、図２〜図４に示すように、天端板３に設けられたボルト孔となる貫通孔３ｂに基礎開口部２側からボルト部材８が挿通され、該ボルト部材８に断面Ｌ字形状の固定金具９の底片９ａに設けられた貫通孔9a1が挿通され、該ボルト部材８にナット７を螺合締結して天端板３に固定金具９が固定され、更に固定金具９の起立片９ｂに設けられた貫通孔9b1と、断面Ｌ字形状の外壁受金具５の起立片５ａに設けられた貫通孔5a1とにボルト部材16を挿通して該ボルト部材16にナット７を螺合締結して固定金具９に外壁受金具５が固定される。
【００２８】
例えば、鉄筋コンクリート基礎の立上がり部１に設けられた基礎開口部２が換気口として構成される場合には、天端板３に、鉄筋コンクリート基礎の立上がり部１の天端１ａに起立されたアンカーボルト６が挿通される第１のボルト孔となる長穴３ａと、外壁受金具５を固定するためのボルト部材８が挿通される第２のボルト孔となる貫通孔３ｂとが設けられる。また、壁体10内に換気するための図示しない換気口を設けることも出来、該換気口及び基礎開口部２を介して外気と壁体10内とを連通させて換気することも出来る。
【００２９】
また、図１に示すように、鉄筋コンクリート基礎の立上がり部１に設けられた基礎開口部２が該鉄筋コンクリート基礎の立上がり部１の外側から該立上がり部１の真上の壁体10内へ配管される配管スペースとして構成される場合には、図２に示すように、天端板３に、鉄筋コンクリート基礎の立上がり部１の天端１ａに起立されたアンカーボルト６が挿通される第１のボルト孔となる長穴３ａと、外壁受金具５を固定するためのボルト部材８が挿通される第２のボルト孔となる貫通孔３ｂと、壁体10内へ配管される配管11が挿通される天端開口部となる貫通穴３ｃとが設けられる。
【００３０】
図１は、上記建物の基礎構造の鉄筋コンクリート基礎の立上がり部１に設けられた基礎開口部２から建物内に複数の給水給湯配管を行う給水給湯ヘッダ管12の設置構造であり、建物内に複数の給水給湯配管を行う給水給湯ヘッダ管12を、鉄筋コンクリート基礎の立上がり部１に設けられた基礎開口部２の外側で且つ該基礎開口部２の底面２ａよりも低い位置に配置すると共に、該給水給湯ヘッダ管12の軸方向（図１（ａ），（ｂ）の左右方向）を鉄筋コンクリート基礎の立上がり部１の外面１ｂに平行に配置したものである。
【００３１】
図１ではヘッダ取付金具13が鉄筋コンクリート基礎の立上がり部１の外面１ｂにコンクリートビスとフィッシャープラグにより固定され、該ヘッダ取付金具13に給水給湯ヘッダ管12が固定され、該ヘッダ取付金具13の外側に点検用蓋14が着脱可能に取り付けられる。尚、図示しないが給水給湯ヘッダ管12を上下に２つ設けた構成でも良い。尚、図３に示す15は基礎開口部２を閉塞する床下換気口金物である。
【００３２】
上記構成によれば、鉄筋コンクリート基礎の立上がり部１に設けた基礎開口部２を換気口として構成することにより換気口の位置を自由に設定することが出来、該基礎開口部２の上部で且つ該基礎開口部２の両側の鉄筋コンクリート基礎の立上がり部１の天端１ａに亘って天端板３を載置固定し、該天端板３に外壁４の下部を受けて支持するための外壁受金具５を取り付けることが出来る。
【００３３】
また、鉄筋コンクリート基礎の立上がり部１の天端１ａに起立されたアンカーボルト６に天端板３に設けられたボルト孔となる長穴３ａが挿通され、該アンカーボルト６に螺合締結されるナット７を介して該天端板３を鉄筋コンクリート基礎の立上がり部１に対して固定することが出来る。
【００３４】
また、鉄筋コンクリート基礎の立上がり部１の天端１ａに起立されたアンカーボルト６に天端板３に設けられたボルト孔となる長穴３ａを挿通し、該アンカーボルト６に螺合締結されるナット７を介して外壁受金具５を天端板３に対して固定することが出来る。
【００３５】
また、鉄筋コンクリート基礎の立上がり部１に設けられた基礎開口部２が換気口として構成される場合には、天端板３に設けられた第１のボルト孔となる長穴３ａを利用して鉄筋コンクリート基礎の立上がり部１の天端１ａに起立されたアンカーボルト６を挿通して鉄筋コンクリート基礎の立上がり部１に天端板３を固定することが出来、更に天端板３に設けられた第２のボルト孔となる貫通孔３ｂを利用して外壁受金具５を固定するためのボルト部材16を挿通し、該ボルト部材16に螺合締結されるナット７を介して天端板３に外壁受金具５を固定することが出来る。
【００３６】
また、鉄筋コンクリート基礎の立上がり部１に設けられた基礎開口部２が該鉄筋コンクリート基礎の立上がり部１の外側から該立上がり部１の真上の壁体10内へ配管される配管スペースとして構成される場合には、天端板３に設けられた第１のボルト孔となる長穴３ａを利用して鉄筋コンクリート基礎の立上がり部１の天端１ａに起立されたアンカーボルト６を挿通し、該アンカーボルト６に螺合締結されるナット７を介して鉄筋コンクリート基礎の立上がり部１に天端板３を固定することが出来、更に天端板３に設けられた第２のボルト孔となる貫通孔３ｂを利用して外壁受金具５を固定するためのボルト部材16を挿通し、該ボルト部材16に螺合締結されるナット７を介して天端板３に外壁受金具５を固定することが出来、更に基礎の外周に設置した給水給湯ヘッダ管12から分岐する複数の給水給湯配管11を鉄筋コンクリート基礎の立上がり部１に設けられた基礎開口部２を挿通させると共に、天端板３に設けられた天端開口部となる貫通穴３ｃを挿通して壁体10内へ配管することが出来る。
【００３７】
また、建物内に複数の給水給湯配管を行う給水給湯ヘッダ管12を、鉄筋コンクリート基礎の立上がり部１に設けられた基礎開口部２の外側で且つ該基礎開口部２の底面２ａよりも低い位置に配置すると共に、該給水給湯ヘッダ管12の軸方向（図１（ａ），（ｂ）の左右方向）を鉄筋コンクリート基礎の立上がり部１の外面１ｂに平行に配置し、該鉄筋コンクリート基礎の立上がり部１に設けられた基礎開口部２を介して該給水給湯ヘッダ管12から分岐する複数の給水給湯配管11を挿通して壁体10内へ容易に配管することが出来る。
【００３８】
尚、天端板３に設けられる第１のボルト孔となる長穴３ａ、第２のボルト孔となる貫通孔３ｂ、天端開口部となる貫通穴３ｃは、貫通穴以外にも切り欠き部を採用することも出来る。
【００３９】
次に図５及び図６を用いて本発明に係る建物の基礎構造の第３実施形態について説明する。図５は本発明に係る建物の基礎構造の第３実施形態の構成を示す三面図、図６は第３実施形態の天端板の構成を示す図である。尚、前記各実施形態と同様に構成したものは同一の符号を付して説明を省略する。
【００４０】
前記第１、第２実施形態では、天端板３の両端部に補強用リブ３ｄが設けられ、或いは天端板３が補強リブ３ｄのない平板で構成され、鉄筋コンクリート基礎の立上がり部１の天端１ａに天端板３の補強リブ３ｄが嵌入し得る溝部１ｃや天端板３の板厚に対応する段部１ｄが設けられた場合の一例について説明したが、本実施形態では図６に示すように、天端板３の両端部に補強リブ３ｄが設けられていない平板からなり、鉄筋コンクリート基礎の立上がり部１の天端１ａから該天端板３の板厚分だけ低い段部３ｆが設けられている。
【００４１】
本実施形態では、鉄筋コンクリート基礎に対する天端板３の取り付けは、図５に示すように、該天端板３に取り付けられた外壁受金具５を鉄筋コンクリート基礎の立上がり部１の天端１ａに起立されたアンカーボルト６にナット７を介して締結したものである。天端板３に対する外壁受金具５の取り付けは、図５に示すように、該天端板３の外壁側を断面Ｌ字型に折り曲げて起立片３ｅとし、該起立片３ｅに外壁受金具５の起立片５ａを背中合わせにして各貫通孔3e1，5a1にボルト部材16を挿通し、該ボルト部材16にナット７を螺合締結して固定する。尚、前述した各実施形態と同様に、図５及び図６に示す天端板３に設けられた貫通穴３ｃを挿通して壁体10内へ配管することが出来る。
【００４２】
上記構成によれば、天端板３に取り付けられた外壁受金具５を鉄筋コンクリート基礎の立上がり部１の天端１ａに起立されたアンカーボルト６にナット７を介して締結固定することが出来、天端板３を鉄筋コンクリート基礎の立上がり部１の天端１ａに直接固定する必要がなく、構成が簡単に出来る。
【００４３】
また、天端板３の外壁側を断面Ｌ字型に折り曲げた起立片３ｅに外壁受金具５の起立片５ａを背中合わせにしてボルトナット締めすることで天端板３と外壁受金具５とを容易に固定することが出来る。他の構成は前記各実施形態と同様に構成され、同様の効果を有するものである。
【００４４】
尚、外壁受金具５を天端板３に対して固定する場合、固定金具９を天端板３と同一材質で一体成型品にすることも出来、固定金具９を外壁受金具５と同一材質で一体成型品にすることも出来る。
【産業上の利用可能性】
【００４５】
本発明の活用例として、建物の基礎構造及びこれを用いた給水給湯ヘッダ管の設置構造に適用出来る。
【図面の簡単な説明】
【００４６】
【図１】本発明に係る建物の基礎構造を利用した給水給湯ヘッダ管の設置構造を示す三面図である。
【図２】鉄筋コンクリート基礎の立上がり部に設けられる基礎開口部の上部で且つ該基礎開口部の両側の鉄筋コンクリート基礎の立上がり部の天端に亘って取り付けられる天端板の一例を示す三面図である。
【図３】本発明に係る建物の基礎構造の他の構成を示す三面図である。
【図４】鉄筋コンクリート基礎の立上がり部に設けられた基礎開口部の上部に取り付けられた天端板に外壁受金具を取り付ける様子を説明する分解斜視図である。
【図５】本発明に係る建物の基礎構造の第３実施形態の構成を示す三面図である。
【図６】第３実施形態の天端板の構成を示す図である。
【符号の説明】
【００４７】
１…立上がり部
１ａ…天端
１ｂ…外面
１ｃ…溝部
１ｄ…段部
２…基礎開口部
２ａ…底面
３…天端板
３ａ…長穴（ボルト孔）
３ｂ…貫通孔（ボルト孔）
３ｃ…貫通穴（天端開口部）
３ｄ…補強リブ
３ｅ…起立片
3e1…貫通孔
３ｆ…段部
４…外壁
５…外壁受金具
５ａ…起立片
5a1…貫通孔
６…アンカーボルト
７…ナット
８…ボルト部材
９…固定金具
９ａ…底片
9a1…貫通孔
９ｂ…起立片
9b1…貫通孔
10…壁体
11…配管（給水給湯配管）
12…給水給湯ヘッダ管
13…ヘッダ取付金具
14…点検用蓋
15…床下換気口金物
16…ボルト部材
【図１】
0005010449.tif 000002
【図２】
0005010449.tif 000003
【図３】
0005010449.tif 000004
【図４】
0005010449.tif 000005
【図５】
0005010449.tif 000006
【図６】
0005010449.tif 000007